(57)【特許請求の範囲】
【請求項１】
外周面に多数の螺旋状波形突出部及び貫通スリットが連続形成され、内周面に貫通スリットと逆方向に補強骨が当てられた半球状の上部本体と下部本体を含めて、上部本体と下部本体は結合されて球状を成す洗濯ボールにおいて、
前記上部本体の上端中央から垂直に延長形成された第１管部と、前記下部本体の上端中央から垂直に延長形成された第２管部と、前記下部本体の内側に両方で充填される多数の多孔性セラミックボールと、前記下部本体に充填された多孔性セラミックボールの離脱を防止する遮断膜と、
前記上部本体と下部本体の結合時に相互連通された第１管部、遮断膜及び第２管部の内側に着脱可能に挿入される洗濯添加剤容器を含めて、
前記洗濯添加剤容器は、多数の排出口を含む排出部材と、チェックバルブを含むバルブ部材と、ゲル化した半固体の洗濯添加剤を受容する受容部から構成して、受容部のねじ山とキャップ内周面のねじ山を結合する形状であることを特徴とする
洗濯ボール。
【請求項２】
前記洗濯添加剤容器は、ドラム式洗濯機に使う場合には、排出口が上部本体に向かうように結合するものと、縦型洗濯機に使う場合には、排出口が下部本体に向かうように結合するもののいずれかであることであることを特徴とする
請求項１に記載の洗濯ボール。
【請求項３】
前記チェックバルブは、バルブが球状であるボール（ｂａｌｌ）チェックバルブ、又は円錐状である円錐（ｃｏｎｅ）チェックバルブのいずれかであり、停止時には重力により排出口を防いで洗濯添加剤の排出を遮断し、外部衝撃や洗濯時の揺れによって、排出口を防いでいるチェックバルブが動きながら、洗濯添加剤が排出されるようにする、開放した構造であることを特徴とする
請求項２に記載の洗濯ボール。
【請求項４】
前記遮断膜は、洗濯水が流れるように上面と下面に多数のホールを螺旋状に並んで形成し、中央には第２管部に嵌められるように嵌め体を形成し、下面には長手方向へ延長された多数の支持体を含むことを特徴とする
請求項１に記載の洗濯ボール。
【発明の詳細な説明】
【技術分野】
【０００１】
本発明は、洗濯ボールに関し、より詳しくは、外周面に多数の螺旋状波形突出部及び貫通スリットが連続形成されることにより、洗濯機の中で洗濯物を叩いて汚れを落とすと同時に洗濯物が絡まることを防止し、第１管部及び第２管部の内側に洗濯添加剤容器を挿入することで、洗濯時に洗濯添加剤が排出されて香りを良くし、生地を柔軟にし、内部に充填される多孔性セラミックボールから遠赤外線が放出されて、洗濯水の界面活性化を高めると同時に、洗濯物を滅菌・抗菌することができるようにした洗濯ボールに関するものである。
【背景技術】
【０００２】
一般的にドラム式洗濯機は、その中心軸が水平方向に設置され、円筒形に形成されたドラムの中に洗濯物と洗濯水が混合されている状態で、ドラムが回転することにより、この際、連続的に発生する落差による位置エネルギーによって洗濯力を得る装置である。
【０００３】
洗濯過程で必要な水は、外部の給水源とつながる給水バルブを通して洗剤溶解装置に流入され、洗剤溶解装置を通過しながら洗剤の溶解された洗濯水は漕（ｔｕｂ）内に供給されるが、この際、洗濯水は、漕の開口した一側に形成されるダイヤフラムと洗剤溶解装置との間に連結される給水ホースを通して供給される。
【０００４】
このような給水ホースはゴム材質になっていて、連結部位の外周面を気圧してシーリングされているクランプにより、洗剤溶解装置とダイヤフラムに各々連結される。
【０００５】
しかし、最近、無理な洗剤使用による水質汚染及び生態系破壊が深まることにつれて、洗剤を使用せずに洗濯することができる、多様な形態の洗濯ボールが使われているが、洗濯力及び殺菌・滅菌効果が低下するので、その使用が非常に少ない実情であった。
【０００６】
このゆえに、本件出願人は、図１のように、波形突出部と貫通スリットを有する洗濯ボール内に多数のセラミックボールを含め、磁石及びアロマスティックを内蔵して、洗濯物の滅菌と抗菌はもちろん、遠赤外線放出及び洗濯水の界面活性化を高めて洗濯効率を増大させる洗濯ボールを、特許文献１で出願及び特許したことがある。
【０００７】
そのような前記特許発明の洗濯ボールは、セラミックボール、磁石及びアロマスティックを内蔵してはいるが、寿命が短く、洗濯時の排出量が少なくて、洗濯効率を増大させることには十分ではない短所があった。
【先行技術文献】
【特許文献】
【０００８】
【特許文献１】大韓民国特許出願第１０−２００８−０００８４７３号
【発明の概要】
【発明が解決しようとする課題】
【０００９】
本発明の目的は、洗濯ボールに多孔性セラミックボールを充填して、遠赤外線の放出を極大化し、洗濯水の界面活性化を高めることはもちろん、滅菌及び殺菌できる洗濯ボールを提供することである。
【００１０】
本発明の他の目的は、洗濯ボール内に洗濯添加剤容器を挿入して、洗濯時に揺れにより、繊維柔軟剤などの洗濯添加剤が洗濯水で排出されるようにして、洗濯効率を増大させる洗濯ボールを提供することである。
【課題を解決するための手段】
【００１１】
本発明は、外周面に多数の螺旋状波形突出部及び貫通スリットが連続形成されて、内周面に貫通スリットと逆方向に補強骨が当てられた半球状の上部本体及び下部本体を含め、上部本体と下部本体は結合されて球状を成す洗濯ボールにおいて、前記上部本体の上端中央から垂直に延長形成された第１管部と、前記下部本体の上端中央から垂直に延長形成された第２管部と、前記下部本体の内側に両方で充填される多数の多孔性セラミックボールと、前記下部本体に充填された多孔性セラミックボールの離脱を防止する遮断膜と、前記上部本体と下部本体の結合時に相互連通された第１管部、遮断膜及び第２管部の内側に着脱可能に挿入される洗濯添加剤容器を含めることを特徴とする。
【００１２】
本発明において、前記波形突出部は、前記第１管部及び第２管部の中心から、前記上部本体の下端縁及び前記下部本体の上端縁まで螺旋状に突出形成され、下降した側には前記貫通スリットが長手方向に設けられることにする。
【００１３】
本発明において、前記洗濯添加剤容器は、多数の排出口を含む排出部材と、チェックバルブを含むバルブ部材と、ゲル化した半固体の洗濯添加剤を受容する受容部から構成され、受容部のねじ山とキャップ内周面のねじ山を結合する形状であり、前記洗濯添加剤容器は、ドラム式洗濯機に使用する場合には、排出口が上部本体に向かうように結合するものと、縦型洗濯機に使用する場合には、排出口が下部本体に向かうように結合するもののいずれかであることを特徴とする。
【００１４】
本発明において、前記チェックバルブは、バルブが球状であるボール（ｂａｌｌ）チェックバルブ又は円錐状である円錐（ｃｏｎｅ）チェックバルブのいずれかであり、停止時には重力により排出口をふさいで洗濯添加剤の排出を遮断し、外部衝撃や洗濯時の揺れにより、排出口を防いでいるチェックバルブが動きながら、洗濯添加剤が排出されるようにする、開放した構造であることを特徴とする。
【００１５】
本発明において、前記遮断膜は洗濯水が流れるように上面と下面に多数の螺旋状ホールを形成し、中央には第２管部に嵌められるように嵌め体を形成し、下面には長手方向へ延長された多数の支持体を含むことを特徴とする。
【発明の効果】
【００１６】
上述した構成の本発明は、洗濯ボールを利用して汚れをおとすと同時に洗濯物がからまることを防止し、内部に充填されている多孔性セラミックボールにより遠赤外線が放出されて、洗濯水の界面活性化を高め、滅菌及び抗菌作用をし、挿入された洗濯添加剤容器から排出される洗濯添加剤により洗濯物に香りを増やし、生地を柔軟にさせ、静電気を防止することはもちろん、生地の色が褪めることを防ぎ、洗剤カスが残らないようにし、生地のしわ防止効果を有する。
【図面の簡単な説明】
【００１７】
【図１】従来発明の一実施例に係る洗濯ボールの斜視図である。
【図２】本発明の一実施例に係る洗濯ボールの斜視図である。
【図３】本発明の一実施例に係る洗濯ボールの分解斜視図である。
【図４】本発明の一実施例に係る洗濯添加剤容器の分解斜視図である。
【図５】本発明の一実施例に係るチェックバルブの断面図である。
【図６】本発明の一実施例に係る洗濯ボールの断面図である。
【図７】本発明の他の実施例に係る洗濯ボールの断面図である。
【発明を実施するための形態】
【００１８】
以下、添付の図面に基づき、具体的な例をあげて本発明を説明すると、次のようである。
【００１９】
図２は、外周面に多数の螺旋状波形突出部（１１１）及び貫通スリット（１１２）が連続形成された半球状の上部本体（１１０）及び、同一形状の下部本体（１２０）で形成され、相互結合して球状を成し、中央に着脱可能な洗濯添加剤容器（４００）が挿入された、本発明の一実施例に係る洗濯ボール（１００）の斜視図である。
【００２０】
ここで、上部本体（１１０）の外周面に設けられた多数の螺旋状波形突出部（１１１）及び貫通スリット（１１２）は、洗濯物を叩いて汚れを落とすと同時に洗濯物がからまることを防止するための形状であり、洗濯ボール（１００）は回転する洗濯槽の中で運動され、洗濯物を叩くことにつれて破損しないように、軟質のプラスティック材質で形成されることが望ましいし、上部本体（１１０）の下端縁の内部には嵌め突起（１５０）が設けられ、これは、図６及び図７に示した下部本体（１２０）の内側の嵌め溝（１２２）と結合して、一つの球状を成すためである。
【００２１】
図３は、本発明の一実施例に係る洗濯ボールの分解斜視図として、洗濯ボール（１００）は、上部本体（１１０）の上端中央から垂直に延長形成された第１管部（１１３）と、前記下部本体（１２０）の内側中央に第１管部と対応するよう上端中央から垂直に延長形成された第２管部（１２３）と、前記下部本体（１２０）の内側に両方で充填される多数の多孔性セラミックボール（１４０）と、前記下部本体（１２０）に充填された多孔性セラミックボール（１４０）の離脱を防止する遮断膜（３００）と、前記上部本体（１１０）と下部本体（１２０）の結合時に相互連通された第１管部（１１３）、遮断膜（３００）及び第２管部（１２３）の内側に着脱可能に挿入される洗濯添加剤容器（４００）と、キャップ（４１０）とを含む。
【００２２】
このような前記洗濯ボール（１００）は、上部本体（１１０）の下端縁に設けられた嵌め突起（１５０）が、下部本体（１２０）の上端縁に設けられた嵌め溝（１２２）に、回転融着により堅固に結合されるものとして、その結合方向は融着の以外に高周波接着によっても接着することができるし、融着及び接着の以外に着脱可能するように相互結合することができるなど、多様な方法が用いられることができることはもちろんである。
【００２３】
一方、前記上部本体（１１０）に設けられた波形突出部（１１１）は、第１管部（１１３）の中心から上部本体（１１０）の下端縁まで螺旋状に突出形成され、下降した側には貫通スリット（１１２）が長手方向に設けられ、下部本体（１２０）も同じ方式に設けられるが、これは洗濯物と摩擦して汚れを落とす役割をすることになる。
【００２４】
また、貫通スリット（１１２）は、洗濯水を流入させて下部本体（１２０）の貫通スリット（１１２）に排出させるか、反対に、下部本体（１２０）の貫通スリット（１１２）を通して流入された洗濯水を排出させる役割をし、前記上部本体（１１０）及び下部本体（１２０）の内周面に設けられた多数の補強骨（１２４）は、外周面に設けられた多数の貫通スリット（１１２）の形状を維持することができるよう、貫通スリット（１１２）の逆方向に当てられて備えられる。
【００２５】
本発明において使われているセラミックボールは、洗濯効率の極大化のために、公知の物質で作られた、遠赤外線が放射される遠赤外線ボール、抗菌及び滅菌作用をする抗菌ボール、洗濯水をアルカリ化して洗濯物の古い汚れを除去するアルカリボールなどの多孔性セラミックボールを使い、洗濯時に相互間の衝突を予防し、その機能を長く発揮することができるよう、下部本体（１２０）の両方に充填して遮断膜（３００）で固定し、前記遮断膜（３００）は、洗濯水が流れるよう、上面と下面に多数の螺旋状に並んだホール（３３０）を形成し、中央は第２管部に嵌められるように嵌め体（３１０）を形成し、下面には長手方向へ延長された多数の支持体（３２０）を形成して、下部本体（１２０）の補強骨（１２４）とかみ合わさって、多孔性セラミックボール（１４０）の離脱を防止することになる。  
また、多孔性セラミックボールの以外に多孔性セラミックボールの相互摩擦による磨耗を防止するために、発布材を別途に充填することもできる。
【００２６】
このことによって、本発明は、下部本体（１２０）内に多孔性セラミックボール（１４０）を充填し、中央に洗濯添加剤容器（４００）を挿入し、重心が下部に乗ることになって、洗濯機の駆動時に洗濯槽内で重心をとることができるようになる。
【００２７】
図４は、本発明の一実施例に係る洗濯添加剤容器（４００）の分解斜視図として、洗濯添加剤容器（４００）は排出部材（４４０）とバルブ部材（４３０）と受容部（４２０）とキャップ（４１０）から構成されて、前記受容部（４２０）はゲル化した半固体の洗濯添加剤を受容する中空状であり、外部衝撃や洗濯時の揺れによって洗濯添加剤が排出されることができるように、排出部材（４４０）に多数の排出口（４４１）を含んで、排出部材（４４０）の引接部に設けられたバルブ部材（４３０）の内部には、チェックバルブ（４３１ａ，４３１ｂ）を設けて洗濯添加剤の排出を調節する。
【００２８】
個体的に、前記洗濯添加剤容器（４００）は、前記上部本体（１１０）の上端中央から垂直に延長形成された第１管部（１１３）を経て遮断膜（３００）の嵌め体（３１０）を貫通して、下部本体（１２０）の第２管部（１２３）と連通されるように結合するが、このように挿入された洗濯添加剤容器（４００）は、受容部（４２０）のねじ山（４２１）とキャップ（４１０）内部のねじ山（図示せず）が結合して締結完成され、この洗濯添加剤容器（４００）は着脱可能であり、内容物が消尽した場合に交替可能である。
【００２９】
本発明において使われる洗濯添加剤容器（４００）の内容物は、ゲル化した半固体物質で、繊維製品の柔軟剤、アロマオイル、静電気防止剤、アレルギーやアトピー及びヤケヒョウヒダニ防止剤など、洗濯時に一般的に添加される洗濯添加剤ならば良い。
【００３０】
図５は、本発明の一実施例に係るチェックバルブの断面図として、洗濯添加剤容器（４００）内、バルブ部材（４３０）に備えられたチェックバルブは、（ａ）のようにチェックバルブの球状であるボール（ｂａｌｌ）チェックバルブ（４３１ａ）で実施するか、（ｂ）のようにチェックバルブの円錐状である円錐（ｃｏｎｅ）チェックバルブ（４３１ｂ）で実施することができ、球状や円錐状の以外にも多様な形状のチェックバルブが使用されることができる。  
前記チェックバルブ（４３１ａ，４３１ｂ）は、停止時には重力により排出口（４４１）を防いで洗濯添加剤の排出を遮断し、外部衝撃や洗濯時の揺れによって、排出口（４４１）を防いでいるチェックバルブ（４３１ａ，４３１ｂ）が動きながら、洗濯添加剤が洗濯水の中に排出されるよう、開放した構造とする。
【００３１】
図６は、本発明の一実施例に係る洗濯ボールの断面図として、洗濯添加剤容器（４００）の排出口（４４１）を上部本体に結合して、洗濯時の揺れにより洗濯添加剤容器（４００）内のチェックバルブ（４３１ａ）が動きながら、洗濯添加剤が排出口に排出されて洗濯水の中に流れることになる。  
これは、ドラム式洗濯機が、中心軸が水平方向に設置され、円筒形のドラム内に洗濯物と洗濯水が混合されている状態で、ドラムが回転することにつれて連続的に発生する落差による位置エネルギーにより、洗濯力を得る原理に合わせて、洗濯添加剤容器（４００）を挿入した例を図示したものである。
【００３２】
図７は、本発明の他の実施例に係る洗濯ボールの断面図として、洗濯添加剤容器（４００）の排出口（４４１）を下部本体に結合して、洗濯時の揺れにより洗濯添加剤容器（４００）内のチェックバルブ（４３１ａ）が動きながら、洗濯添加剤が排出口（４４１）に排出されて洗濯水の中に流れることになる。  
これは、一般の縦型洗濯機が、洗濯槽の下に設けられている羽根を左右回転させる時に発生する水勢を利用して洗濯する原理に合わせて、洗濯添加剤容器（４００）を挿入した例を図示したものである。
【００３３】
本発明の一実施例に係る洗濯ボール（１００）の使用方法について説明すると、使用者は洗濯ボール（１００）の下部本体（１２０）の第２管部（１２３）に洗濯添加剤容器（４００）を挿入して、両方に多孔性セラミックボール（１４０）を充填した後、遮断膜（３００）の嵌め体（３１０）を第２管部（１２３）に嵌めて多孔性セラミックボール（１４０）を固定させる。
【００３４】
次に、上部本体（１１０）と下部本体（１２０）は、嵌め突起（１５０）及び嵌め溝（１２２）を結合して、回転融着や高周波接着で堅固に結合させる。  
又は、下部本体（１２０）に多孔性セラミックボール（１４０）を充填して、上部本体（１１０）、遮断膜（３００）及び下部本体（１２０）を順に結合して高周波接着させた後、第１管部（１１３）、遮断膜（３００）及び第２管部（１２３）が連通された内部に、洗濯添加剤容器（４００）を挿入固定して使用しても良い。
【００３５】
それから、洗濯水を満たした洗濯機の洗濯槽内に、洗剤に代えて洗濯ボール（１００）を入れて、電源を押して洗濯を始めると、洗濯機が駆動し始まりながら洗濯槽が回転することになり、洗濯槽内の洗濯ボール（１００）が回転しながら波形突出部（１１１）が洗濯物と摩擦して生地の汚れを除去し、洗濯水は、上部本体（１１０）及び下部本体（１２０）上に設けられている貫通スリット（１１２）を通して流入及び排出されることで、多孔性セラミックボールにより遠赤外線が放出され、殺菌・滅菌をすることになる。
【００３６】
この際、洗濯機の駆動によって洗濯添加剤容器の内部のチェックバルブ（４３１ａ，４３１ｂ）が動きながら、排出口（４４１）を通して洗濯添加剤が洗濯水の中に流れることになり、洗濯効率を増大させる。  
追って、洗濯添加剤容器（４００）の内容物が消尽すると、キャップ（４１０）と洗濯添加剤容器（４００）を分離した後、洗濯ボール（１００）から取り出して交替すれば良い。
【００３７】
従って、本発明は、洗濯ボールを利用して汚れを落とすと同時に、洗濯物がからまることを防止し、内部に充填されている多孔性セラミックボールにより遠赤外線が放出されて、洗濯水の界面活性化を高め、滅菌及び抗菌作用をし、洗濯ボール内に挿入された柔軟剤で生地を柔軟にさせ、静電気を防止することはもちろん、生地の色が褪めることを防ぎ、洗剤カスが残らないようにしてくれることになる。
【００３８】
以上、本発明の望ましい実施例を説明したが、本発明の範囲はこのような特定実施例だけに制限されることではなく、当該分野において通常の知識を有する者ならば、本発明の特許請求範囲内に記載されている範疇で適切に変更可能である。
【図１】
0005838273.tif 000002
【図２】
0005838273.tif 000003
【図３】
0005838273.tif 000004
【図４】
0005838273.tif 000005
【図５】
0005838273.tif 000006
【図６】
0005838273.tif 000007
【図７】
0005838273.tif 000008